(57)【要約】【課題】  全てのファン停止時に、逆流防止用シャッターの全てが閉鎖することを防ぐ。【解決手段】  第１のファンおよび第２のファンと、閉鎖する方向に付勢力が付与されている第１のシャッターおよび第２のシャッターと、継ぎ手とを備え、第１のシャッターが、第１のファンが発生する風から受ける力によって開放し、第２のシャッターが、第２のファンが発生する風から受ける力によって開放し、継ぎ手が、所定の位置まで閉鎖した第１のシャッターあるいは第２のシャッターと接触し、第１のシャッターあるいは第２のシャッターに付与されている付勢力により力を受けることによって動き、第１のシャッターと第２のシャッターを共に支えることによって第１のシャッターと第２のシャッターが共に閉鎖することを妨げる。【選択図】      図５
2013191602.tif 000002
【特許請求の範囲】
【請求項１】
第１のファンおよび第２のファンと、
閉鎖する方向に付勢力が付与されている第１のシャッターおよび第２のシャッターと、
継ぎ手とを備え、
前記第１のシャッターが、前記第１のファンが発生する風から受ける力によって開放し、
前記第２のシャッターが、前記第２のファンが発生する風から受ける力によって開放し、
前記継ぎ手が、所定の位置まで閉鎖した前記第１のシャッターあるいは前記第２のシャッターと接触し、前記第１のシャッターあるいは前記第２のシャッターに付与されている前記付勢力により力を受けることによって動き、前記第１のシャッターと前記第２のシャッターを共に支えることによって前記第１のシャッターと前記第２のシャッターが共に閉鎖することを妨げる冷却構造。
【請求項２】
前記継ぎ手が、前記第１のシャッターから受けた力を前記第２のシャッターが開放する方向への力として前記第２のシャッターに与え、前記第２のシャッターから受けた力を前記第１のシャッターが開放する方向への力として前記第１のシャッターに与える請求項１に記載の冷却構造。
【請求項３】
前記継ぎ手が、１つの回転軸と２つの先端部を有し、前記２つの先端部が前記第１のシャッターと前記第２のシャッターのそれぞれと接触し、前記第１のシャッターあるいは前記第２のシャッターに付与されている前記付勢力により力を受けることによって前記回転軸を軸として回動する請求項１または２に記載の冷却構造。
【請求項４】
前記継ぎ手が、Ｕ字形状、Ｖ字形状、あるいは凹字形状であり、当該Ｕ字形状、Ｖ字形状、あるいは凹字形状の底部に前記回転軸を有する請求項３に記載の冷却構造。
【請求項５】
前記付勢力は、前記第１のシャッターおよび前記第２のシャッターの自重によるもの、ばね部材によるもの、あるいは前記第１のシャッターおよび前記第２のシャッターの素材が有する弾性力によるもののいずれかである請求項１乃至４のいずれかに記載の冷却構造。
【請求項６】
第１の開口部と第２の開口部を有し、前記第１のファンと前記第２のファンと前記第１のシャッターと前記第２のシャッターと前記継ぎ手が配設される筐体をさらに備え、
前記第１のシャッターが前記第１の開口部に配設され、前記第２のシャッターが前記第２の開口部に配設され、前記継ぎ手が前記第１のシャッターと前記第２のシャッターの間隙に配設される請求項１乃至５のいずれかに記載の冷却構造。
【請求項７】
閉鎖する方向に付勢力が付与されている第１のシャッターおよび第２のシャッターと、
継ぎ手とを備え、
前記第１のシャッターと前記第２のシャッターのそれぞれが、開放する方向へ向かう風から受ける力によって開放し、
前記継ぎ手が、所定の位置まで閉鎖した前記第１のシャッターあるいは前記第２のシャッターと接触し、前記第１のシャッターあるいは前記第２のシャッターに付与されている前記付勢力により力を受けることによって動き、前記第１のシャッターと前記第２のシャッターを共に支えることによって前記第１のシャッターと前記第２のシャッターが共に閉鎖することを妨げるシャッター開閉構造。
【請求項８】
前記継ぎ手が、前記第１のシャッターから受けた力を前記第２のシャッターが開放する方向への力として前記第２のシャッターに与え、前記第２のシャッターから受けた力を前記第１のシャッターが開放する方向への力として前記第１のシャッターに与える請求項７に記載のシャッター開閉構造。
【請求項９】
前記継ぎ手が、１つの回転軸と２つの先端部を有し、前記２つの先端部が前記第１のシャッターと前記第２のシャッターのそれぞれと接触し、前記第１のシャッターあるいは前記第２のシャッターに付与されている前記付勢力により力を受けることによって前記回転軸を軸として回動する請求項７または８に記載のシャッター開閉構造
【請求項１０】
請求項１乃至６のいずれかに記載の冷却構造と、
前記冷却構造によって冷却される熱源とを備えた電子機器。
【発明の詳細な説明】
【技術分野】
【０００１】
本発明は、冷却構造、シャッター開閉構造および電子機器に関し、特にシャッターが併設された複数のファンを有する冷却構造に関する。
【背景技術】
【０００２】
サーバ等の熱源を備えた装置では、可用性および信頼性を高めるため、装置の冷却のためのファンを二重化したり冗長化したりすることが一般的となっている。このようなファンは、複数台のうちの１台が故障しても、残りのファンで冷却性能を維持することができるため、装置の連続稼動を継続することができる。
【０００３】
上記のファンの複数台のうちの１台が停止した場合、停止したファンの部分から他のファンの冷却風が逆流し、冷却効率が低下するという問題がある。このような問題点を解決する技術が特許文献１に記載されている。特許文献１のファン装置は、ファン毎に風圧によって開くシャッターを備えている。このことにより、当該ファン装置は、ファン停止時にシャッターが閉じることにより、冷却風が逆流することを防ぐ。
【先行技術文献】
【特許文献】
【０００４】
【特許文献１】特開平１１−０２２６９８
【発明の概要】
【発明が解決しようとする課題】
【０００５】
上述した特許文献１のファン装置においては、ファン装置が取り付けられた装置の停止時には全てのファンが停止するため、全てのシャッターが閉じる。このとき、装置の筐体が密閉され、待機電力などによる発熱を放熱できなくなるという問題点がある。
【０００６】
本発明の目的は、上述した課題を解決する冷却構造、シャッター開閉構造および電子機器を提供することにある。
【課題を解決するための手段】
【０００７】
本発明に係る冷却構造は、
第１のファンおよび第２のファンと、
閉鎖する方向に付勢力が付与されている第１のシャッターおよび第２のシャッターと、
継ぎ手とを備え、
第１のシャッターが、第１のファンが発生する風から受ける力によって開放し、
第２のシャッターが、第２のファンが発生する風から受ける力によって開放し、
継ぎ手が、所定の位置まで閉鎖した第１のシャッターあるいは第２のシャッターと接触し、第１のシャッターあるいは第２のシャッターに付与されている付勢力により力を受けることによって動き、第１のシャッターと第２のシャッターを共に支えることによって第１のシャッターと第２のシャッターが共に閉鎖することを妨げる。
【０００８】
本発明に係るシャッター開閉構造は、
閉鎖する方向に付勢力が付与されている第１のシャッターおよび第２のシャッターと、
継ぎ手とを備え、
第１のシャッターと第２のシャッターのそれぞれが、開放する方向へ向かう風から受ける力によって開放し、
継ぎ手が、所定の位置まで閉鎖した第１のシャッターあるいは第２のシャッターと接触し、第１のシャッターあるいは第２のシャッターに付与されている付勢力により力を受けることによって動き、第１のシャッターと第２のシャッターを共に支えることによって第１のシャッターと第２のシャッターが共に閉鎖することを妨げる。
【０００９】
本発明に係る電子機器は、
上述の冷却構造と、
冷却構造によって冷却される熱源とを備える。
【発明の効果】
【００１０】
本発明に係る冷却構造、シャッター開閉構造および電子機器は、一部のファン停止時における風の逆流を防ぎ、かつ、全てのファン停止時における放熱を妨げない。
【図面の簡単な説明】
【００１１】
【図１】本発明の第１の実施形態に係る冷却構造を示す要部切欠斜視図である。
【図２】図１とは異なる方向から見た本発明の第１の実施形態に係る冷却構造を示す要部切欠斜視図である。
【図３】継ぎ手１９の詳細な構造を示す要部切欠斜視図である。
【図４】ファン１３とファン１４の両方が稼動しているときの、シャッター１５，１６および継ぎ手１９の状態を示す上面図（ａ）および要部切欠斜視図（ｂ）である。
【図５】ファン１３とファン１４の両方が停止しているときの、シャッター１５，１６および継ぎ手１９の動作を示す上面図（ａ）および要部切欠斜視図（ｂ）である。
【図６】ファン１３が停止し、ファン１４が稼動しているときの、シャッター１５，１６および継ぎ手１９の動作を示す上面図（ａ）および要部切欠斜視図（ｂ）である。
【図７】ファン１４が停止し、ファン１３が稼動しているときの、シャッター１５，１６および継ぎ手１９の動作を示す上面図（ａ）および要部切欠斜視図（ｂ）である。
【図８】本発明の第２の実施形態に係る冷却構造を示す上面図である。
【発明を実施するための形態】
【００１２】
次に、本発明の実施の形態について図面を参照して詳細に説明する。
【００１３】
［第１の実施形態］
図１は、本発明の第１の実施形態に係る冷却構造を示す要部切欠斜視図である。また、図２は、図１とは異なる方向から見た本発明の第１の実施形態に係る冷却構造を示す要部切欠斜視図である。
【００１４】
装置１は、本発明の第１の実施形態に係る冷却構造を備える装置であり、筐体１１と、放熱器１２と、ファン１３と、ファン１４と、シャッター１５と、シャッター１６と、開口部１７と、開口部１８と、継ぎ手１９とを備える。
【００１５】
ファン１３は第１のファンと呼ばれることもある。また、ファン１４は第２のファンと呼ばれることもある。また、シャッター１５は第１のシャッターと呼ばれることもある。また、シャッター１６は第２のシャッターと呼ばれることもある。また、開口部１７は第１の開口部と呼ばれることもある。また、開口部１８は第２の開口部と呼ばれることもある。
【００１６】
装置１は、例えば、サーバなどのコンピュータシステムでもよいし、他の電子機器でもよい。筐体１１は、装置１を構成する部品が配設される筐体である。放熱器１２は、装置１が備えるＣＰＵ(Central Processing Unit)などの熱源より発生する熱を放熱する。ファン１３，１４は、放熱器１１を冷却するために、開口部１７，１８の方向に向かって風を発生する。シャッター１５，１６は、筐体１１の開口部１７，１８の前面位置に配設され、開口部１７，１８を開閉可能である。開口部１７，１８は、筐体１１に設けられた開口である。
【００１７】
シャッター１５，１６は、長手方向の２辺のうち上辺が、筐体１１に取り付けられた軸受けや蝶番などの一般的な構造（不図示）によって回動可能に設けられている。このような構造により、シャッター１５，１６は、開口部１７，１８を覆って閉鎖し、さらにその状態から回動することにより、開口部１７，１８を開放する。
【００１８】
あるいは、シャッター１５，１６は、塩化ビニール樹脂などの弾性を有する素材を用いていてもよい。あるいは、シャッター１５，１６は、開口部１７，１８を開閉可能な、他の構造や素材を用いていてもよい。
【００１９】
シャッター１５は、ファン１３が発生する風が当たることにより、開口部１７を開放する方向（筐体１１の内部から外部に向かう方向）に力を受け、開口部１７を開放する。また、シャッター１６は、ファン１４が発生する風が当たることにより、開口部１８を開放する方向（筐体１１の内部から外部に向かう方向）に力を受け、開口部１８を開放する。
【００２０】
シャッター１５，１６には、開口部１７，１８を閉鎖する方向（筐体１１の外部から内部に向かう方向）に所定の付勢力が付与されていている。当該付勢力は、シャッター１５，１６の自重によって付与されてもよいし、ばね部材によって付与されてもよいし、シャッター１５，１６の素材が有する弾性力によって付与されてもよい。ファン１３，１４による風が当たらないときなど、開口部１７，１８を開放する方向に力を受けていない場合は、シャッター１５，１６は、当該付勢力により、開口部１７，１８を閉鎖する。一方で、ファン１３，１４が発生する風が当たっているとき、シャッター１５，１６は、開口部１７，１８を開放する方向に受けた力が当該付勢力を上回ることにより、開口部１７，１８を開放する。
【００２１】
図３は、継ぎ手１９の詳細な構造を示す要部切欠斜視図である。継ぎ手１９は、Ｕ字状の形状を有しており、Ｕ字形状の底部に設けられた軸受穴１９ａと、シャッター１５，１６と接触する２つの先端部１９ｂとを備えている。継ぎ手１９は、軸受穴１９ａと、筐体１１のシャッター１５，１６の間隙近傍に設けられた軸受け（不図示）および軸２０によって、軸受穴１９ａを中心として回動可能に筐体１１に軸支される。継ぎ手１９の２つの先端部１９ｂは、シャッター１５，１６が所定の位置まで閉鎖したとき、シャッター１５，１６と接触する。継ぎ手１９は、シャッター１５あるいはシャッター１６より押され、力を受けることにより、軸受け穴１９ａを回転軸として回動する。
【００２２】
継ぎ手１９は、Ｕ字状以外の形状を有していてもよい。例えば、継ぎ手１９は、Ｖ字状あるいは凹字状の形状を有していてもよい。このとき、軸受穴１９ａは、Ｖ字形状あるいは凹字形状の底部に設けられてもよい。
【００２３】
図４は、ファン１３とファン１４の両方が稼動しているときの、シャッター１５，１６および継ぎ手１９の状態を示す上面図（ａ）および要部切欠斜視図（ｂ）である。すなわち、図４は、装置１が通常に稼動しているときの様子を示す。図４を参照すると、シャッター１５とシャッター１６は、それぞれがファン１３とファン１４が発生する風２を受けることにより開放している。このとき、継ぎ手１９はフリーとなっている。すなわち、継ぎ手１９は、シャッター１５，１６のいずれも押していない。
【００２４】
図５は、ファン１３とファン１４の両方が停止しているときの、シャッター１５，１６および継ぎ手１９の動作を示す上面図（ａ）および要部切欠斜視図（ｂ）である。すなわち、図５は、装置１が停止しているときの様子を示す。図５を参照すると、シャッター１５とシャッター１６は、風が当たっていないため、付勢力により、開口部１７，１８を閉鎖する方向に回動する。このとき、シャッター１５およびシャッター１６は、継ぎ手１９の２つの先端部１９ｂのそれぞれと接触する。接触部において、継ぎ手１９がシャッター１５，１６を共に押して支えるため、シャッター１５，１６は共に完全に閉鎖せず、半開状態となる。このため、筐体１１の内部から外部への放熱が妨げられない。
【００２５】
図６および図７は、ファン１３とファン１４のいずれか１つが停止し、いずれか１つが稼動しているときの、シャッター１５，１６および継ぎ手１９の動作を示す上面図（ａ）および要部切欠斜視図（ｂ）である。すなわち、図６および図７は、装置１が稼動しているとき、ファン１３あるいはファン１４のいずれか１つが異常停止したときの様子を示す。図６はファン１３が停止してファン１４が稼動しているときの様子を、図７はファン１４が停止してファン１３が稼動しているときの様子を、それぞれ示す。
【００２６】
図６を参照すると、シャッター１６は、ファン１４が発生する風２を受けることにより開放している。一方で、シャッター１５は、風が当たっていないため、付勢力により、開口部１７を閉鎖する方向に回動する。このとき、シャッター１５は、継ぎ手１９の一方の先端部１９ｂと接触する。シャッター１６が開放していることにより、継ぎ手１９のもう一方の先端部１９ｂとシャッター１６が接触していないため、継ぎ手１９は、シャッター１５に押されることにより、シャッター１６の方向へ回動する。その結果、継ぎ手１９はシャッター１５，１６のいずれも支えないため、シャッター１５は完全に閉鎖する。
【００２７】
逆に、ファン１４が停止してファン１３が稼動しているときは、図７に示すように、シャッター１５は開放し、継ぎ手１９はシャッター１５の方向へ回動し、シャッター１６は完全に閉鎖する。すなわち、ファン１３，１４のいずれか１つが停止した場合、停止したファンに対応するシャッターが閉鎖し、稼動しているファンに対応するシャッターは通常通り開放する。このことにより、一部のファンが停止することによる、風の逆流が防止される。
【００２８】
以上のように、本発明の第１の実施形態に係る冷却構造は、一部のファン停止時における風の逆流を防ぎ、かつ、全てのファン停止時における放熱を妨げない。なぜならば、ファン１３，１４のいずれか１つが停止した場合は、停止したファンに対応するシャッターが閉鎖するからである。そして、全てのファンが停止した場合は、継ぎ手１９がシャッター１５，１６を共に押して支えるため、シャッター１５，１６が半開状態になるからである。
【００２９】
すなわち、本発明の第１の実施形態に係る冷却構造は、装置１の停止時においても、シャッター１５，１６が共に完全に閉鎖して筐体１１が密封されることを防止する。このため、本発明の第１の実施形態に係る冷却構造は、装置１の停止時においても、稼働中に発生した熱の残留分や、待機電力により発生した熱を放熱することを可能にする。
【００３０】
［第２の実施形態］
次に、本発明の第２の実施の形態を説明する。
【００３１】
図８は、本発明の第２の実施形態に係る冷却構造を示す上面図である。
【００３２】
装置１は、本発明の第２の実施形態に係る冷却構造を備える装置であり、ファン１３と、ファン１４と、シャッター１５と、シャッター１６と、継ぎ手１９とを備える。
【００３３】
ファン１３は第１のファンと呼ばれることもある。また、ファン１４は第２のファンと呼ばれることもある。また、シャッター１５は第１のシャッターと呼ばれることもある。また、シャッター１６は第２のシャッターと呼ばれることもある。
【００３４】
シャッター１５，１６には、閉鎖する方向（図８の左方向）に所定の付勢力が付与されていている。
【００３５】
シャッター１５は、ファン１３が発生する風が当たることにより、図８の右方向に向かう風による力を受け、開放する。また、シャッター１６は、ファン１４が発生する風が当たることにより、図８の右方向に向かう風による力を受け、開放する。
【００３６】
継ぎ手１９は、シャッター１５，１６が所定の位置まで閉鎖したとき、シャッター１５，１６と接触する。そして、継ぎ手１９は、シャッター１５あるいはシャッター１６に付与されている付勢力により力を受けることにより動く。
【００３７】
ファン１３とファン１４の両方が停止しているとき、図５に示したのと同様に、継ぎ手１９がシャッター１５，１６を支えるため、シャッター１５，１６は完全に閉鎖せず、半開状態となる。すなわち、継ぎ手１９は、シャッター１５とシャッター１６を共に支えることによってシャッター１５とシャッター１６が共に閉鎖することを妨げる。
【００３８】
一方で、ファン１３とファン１４のいずれか１つが停止し、いずれか１つが稼動しているとき、図６，７に示したのと同様に、停止しているファンに対応するシャッターが閉鎖し、稼動しているファンに対応するシャッターが開放する。
【００３９】
以上のように、本発明の第２の実施形態に係る冷却構造は、第１の実施形態と同様に、一部のファン停止時における風の逆流を防ぎ、かつ、全てのファン停止時における放熱を妨げない。なぜならば、ファン１３，１４のいずれか１つが停止した場合は、停止したファンに対応するシャッターが閉鎖するからである。そして、全てのファンが停止した場合は、継ぎ手１９がシャッター１５，１６を共に支えるため、シャッター１５，１６が半開状態になるからである。
【００４０】
すなわち、本発明の第２の実施形態に係る冷却構造は、第１の実施形態と同様に、装置１の停止時においても、シャッター１５，１６が共に完全に閉鎖して筐体１１が密封されることを防止する。このため、本発明の第２の実施形態に係る冷却構造は、装置１の停止時においても、稼働中に発生した熱の残留分や、待機電力により発生した熱を放熱することを可能にする。
【００４１】
継ぎ手１９の形状および構造は、上記の実施形態および図面に記載した以外のものでもよい。継ぎ手１９は、シャッター１５と１６のそれぞれに力を与えるあるいは受ける部分を有し、シャッター１５と１６の一方から受けた力をもう一方へ与える構造を有していればよい。すなわち、継ぎ手１９は、シャッター１５から受けた力（付勢力）を、シャッター１６が開放する方向への力としてシャッター１６に与える。そして同様に、継ぎ手１９は、シャッター１６から受けた力（付勢力）を、シャッター１５が開放する方向への力としてシャッター１５に与える。また、継ぎ手１９は、シャッター１５とシャッター１６のそれぞれから力（付勢力）を受け、これらの力を相殺させる事により、ファン１３と１４両方の停止時にシャッター１５および１６が完全に閉鎖しないように支える構造を有していればよい。
【００４２】
上記の実施形態の一部または全部は、以下の付記のようにも記載されうるが、以下には限られない。
【００４３】
（付記１）
第１のファンおよび第２のファンと、
閉鎖する方向に付勢力が付与されている第１のシャッターおよび第２のシャッターと、
継ぎ手とを備え、
前記第１のシャッターが、前記第１のファンが発生する風から受ける力によって開放し、
前記第２のシャッターが、前記第２のファンが発生する風から受ける力によって開放し、
前記継ぎ手が、所定の位置まで閉鎖した前記第１のシャッターあるいは前記第２のシャッターと接触し、前記第１のシャッターあるいは前記第２のシャッターに付与されている前記付勢力により力を受けることによって動き、前記第１のシャッターと前記第２のシャッターを共に支えることによって前記第１のシャッターと前記第２のシャッターが共に閉鎖することを妨げる冷却構造。
【００４４】
（付記２）
前記継ぎ手が、前記第１のシャッターから受けた力を前記第２のシャッターが開放する方向への力として前記第２のシャッターに与え、前記第２のシャッターから受けた力を前記第１のシャッターが開放する方向への力として前記第１のシャッターに与える付記１に記載の冷却構造。
【００４５】
（付記３）
前記継ぎ手が、１つの回転軸と２つの先端部を有し、前記２つの先端部が前記第１のシャッターと前記第２のシャッターのそれぞれと接触し、前記第１のシャッターあるいは前記第２のシャッターに付与されている前記付勢力により力を受けることによって前記回転軸を軸として回動する付記１または２に記載の冷却構造。
【００４６】
（付記４）
前記継ぎ手が、Ｕ字形状、Ｖ字形状、あるいは凹字形状であり、当該Ｕ字形状、Ｖ字形状、あるいは凹字形状の底部に前記回転軸を有する付記３に記載の冷却構造。
【００４７】
（付記５）
前記付勢力は、前記第１のシャッターおよび前記第２のシャッターの自重によるもの、ばね部材によるもの、あるいは前記第１のシャッターおよび前記第２のシャッターの素材が有する弾性力によるもののいずれかである付記１乃至４のいずれかに記載の冷却構造。
【００４８】
（付記６）
第１の開口部と第２の開口部を有し、前記第１のファンと前記第２のファンと前記第１のシャッターと前記第２のシャッターと前記継ぎ手が配設される筐体をさらに備え、
前記第１のシャッターが前記第１の開口部に配設され、前記第２のシャッターが前記第２の開口部に配設され、前記継ぎ手が前記第１のシャッターと前記第２のシャッターの間隙に配設される付記１乃至５のいずれかに記載の冷却構造。
【００４９】
（付記７）
閉鎖する方向に付勢力が付与されている第１のシャッターおよび第２のシャッターと、
継ぎ手とを備え、
前記第１のシャッターと前記第２のシャッターのそれぞれが、開放する方向へ向かう風から受ける力によって開放し、
前記継ぎ手が、所定の位置まで閉鎖した前記第１のシャッターあるいは前記第２のシャッターと接触し、前記第１のシャッターあるいは前記第２のシャッターに付与されている前記付勢力により力を受けることによって動き、前記第１のシャッターと前記第２のシャッターを共に支えることによって前記第１のシャッターと前記第２のシャッターが共に閉鎖することを妨げるシャッター開閉構造。
【００５０】
（付記８）
前記継ぎ手が、前記第１のシャッターから受けた力を前記第２のシャッターが開放する方向への力として前記第２のシャッターに与え、前記第２のシャッターから受けた力を前記第１のシャッターが開放する方向への力として前記第１のシャッターに与える付記７に記載のシャッター開閉構造。
【００５１】
（付記９）
前記継ぎ手が、１つの回転軸と２つの先端部を有し、前記２つの先端部が前記第１のシャッターと前記第２のシャッターのそれぞれと接触し、前記第１のシャッターあるいは前記第２のシャッターに付与されている前記付勢力により力を受けることによって前記回転軸を軸として回動する付記７または８に記載のシャッター開閉構造
（付記１０）
前記継ぎ手が、Ｕ字形状、Ｖ字形状、あるいは凹字形状であり、当該Ｕ字形状、Ｖ字形状、あるいは凹字形状の底部に前記回転軸を有する付記９に記載のシャッター開閉構造。
【００５２】
（付記１１）
前記付勢力は、前記第１のシャッターおよび前記第２のシャッターの自重によるもの、ばね部材によるもの、あるいは前記第１のシャッターおよび前記第２のシャッターの素材が有する弾性力によるもののいずれかである付記７乃至１０のいずれかに記載のシャッター開閉構造。
【００５３】
（付記１２）
第１の開口部と第２の開口部を有し、前記第１のシャッターと前記第２のシャッターと前記継ぎ手が配設される筐体をさらに備え、
前記第１のシャッターが前記第１の開口部に配設され、前記第２のシャッターが前記第２の開口部に配設され、前記継ぎ手が前記第１のシャッターと前記第２のシャッターの間隙に配設される付記７乃至１１のいずれかに記載のシャッター開閉構造。
【００５４】
（付記１３）
付記１乃至６のいずれかに記載の冷却構造と、
前記冷却構造によって冷却される熱源とを備えた電子機器。
【符号の説明】
【００５５】
１    装置
１１    筐体
１２    放熱器
１３，１４    ファン
１５，１６    シャッター
１７，１８    開口部
１９    継ぎ手
１９ａ    軸受穴
１９ｂ    先端部
２０    軸
２    風
【図１】
2013191602.tif 000003
【図２】
2013191602.tif 000004
【図３】
2013191602.tif 000005
【図４】
2013191602.tif 000006
【図５】
2013191602.tif 000007
【図６】
2013191602.tif 000008
【図７】
2013191602.tif 000009
【図８】
2013191602.tif 000010